(57)【要約】【課題】字幕と動画の干渉が抑制される動画再生装置及び動画再生システムを提供する。【解決手段】動画再生装置１０は、ユーザの頭の向きを検出する第１センサ２１から測定値を取得する第１取得部１１と、ユーザの頭の向きに応じて、動画の一部の領域を選択する選択部１２と、ユーザにより指示される方向を検出する第２センサ３１から測定値を取得する第２取得部１３と、表示部２２に動画の一部の領域を表示させるとともに、ユーザにより指示される方向に追従するように、動画に関する字幕を動画の一部の領域に重ねて表示させる表示制御部１４と、を備える。【選択図】図３
2019191216.tif 000002
【特許請求の範囲】
【請求項１】
ユーザの頭の向きを検出する第１センサから測定値を取得する第１取得部と、
前記ユーザの頭の向きに応じて、動画の一部の領域を選択する選択部と、
前記ユーザにより指示される方向を検出する第２センサから測定値を取得する第２取得部と、
表示部に前記動画の一部の領域を表示させるとともに、前記ユーザにより指示される方向に追従するように、前記動画に関する字幕を前記動画の一部の領域に重ねて表示させる表示制御部と、
を備える動画再生装置。
【請求項２】
前記字幕、前記字幕の表示を開始する前記動画の時刻及び前記字幕の表示を終了する前記動画の時刻が関連付けられて記憶された記憶部をさらに備え、
前記表示制御部は、前記動画の進行に合わせて、前記字幕を表示させる、
請求項１に記載の動画再生装置。
【請求項３】
前記表示制御部は、前記ユーザによる入力に応じて、前記字幕を非表示に切り替える、
請求項１又は２に記載の動画再生装置。
【請求項４】
前記表示制御部は、前記第２センサのモデルを前記動画の一部の領域に重ねて表示させる、
請求項１から３のいずれか一項に記載の動画再生装置。
【請求項５】
前記表示制御部は、前記第２センサのモデルから前記字幕を指し示す線を、前記動画の一部の領域に重ねて表示させる、
請求項４に記載の動画再生装置。
【請求項６】
前記表示制御部は、前記ユーザによる入力に応じて、前記字幕の位置が前記動画の一部の領域において固定されるように、前記字幕を前記動画の一部の領域に重ねて表示させる、
請求項１から５のいずれか一項に記載の動画再生装置。
【請求項７】
動画再生装置と、ヘッドマウントディスプレイと、コントローラとを備える動画再生システムであって、
前記ヘッドマウントディスプレイは、
ユーザの頭の向きを検出する第１センサと、
前記動画再生装置による制御に従って動画を表示する表示部と、を有し、
前記コントローラは、
前記ユーザにより指示される方向を検出する第２センサを有し、
前記動画再生装置は、
前記ユーザの頭の向きに応じて、前記動画の一部の領域を選択する選択部と、
前記表示部に前記動画の一部の領域を表示させるとともに、前記ユーザにより指示される方向に追従するように、前記動画に関する字幕を前記動画の一部の領域に重ねて表示させる表示制御部と、を有する、
動画再生システム。
【発明の詳細な説明】
【技術分野】
【０００１】
本発明は、動画再生装置及び動画再生システムに関する。
【背景技術】
【０００２】
近年、ヘッドマウントディスプレイによって動画を表示し、ユーザの頭の向きに追従するように動画の表示領域を変化させ、臨場感や没入感を高める技術が実用に供されている。
【０００３】
また、動画を再生する場合に、動画に重ねて字幕を表示することが一般に行われている。
【０００４】
例えば、下記特許文献１には、字幕ファイルを再生する字幕ファイル再生装置と、字幕ファイル再生装置を制御すると共にショー全体のオーディオ・ビデオの制御を行なうＡＶコントローラと、視聴者が個々に頭部に装着して使用するディスプレイ・ユニットと、ディスプレイ・ユニットに字幕信号を送信し、映写機、照明機器等のフィールド機器を制御するショー・コントローラと、ＡＶコントローラに制御されて音声ファイルを再生すると共にショー・コントローラに同期信号を伝送するデジタル・オーディオ・プレーヤーとを備える字幕表示システムが記載されている。
【先行技術文献】
【特許文献】
【０００５】
【特許文献１】特開２００６−１１９６５３号公報
【発明の概要】
【発明が解決しようとする課題】
【０００６】
特許文献１に記載の字幕表示システムによれば、スクリーンに字幕無しの動画を表示し、透過型のヘッドマウントディスプレイに字幕を表示することで、字幕を必要とする者に対してのみ字幕表示を利用させることができる。
【０００７】
しかしながら、ユーザの頭の向きに追従するようにヘッドマウントディスプレイに動画を表示し、その動画に重ねて字幕を表示する場合、字幕を一定の位置に表示するのでは、字幕と動画が干渉することがある。従来のようにディスプレイ等に動画を表示するのであれば、動画の下部等に字幕を表示することで干渉が避けられるが、ユーザの頭の向きに追従するように動画を表示する場合、動画のどの領域が表示されるか定まらず、字幕を一定の位置に表示するのでは字幕と動画が干渉することがある。
【０００８】
そこで、本発明は、字幕と動画の干渉が抑制される動画再生装置及び動画再生システムを提供することを目的とする。
【課題を解決するための手段】
【０００９】
本発明の一態様に係る動画再生装置は、ユーザの頭の向きを検出する第１センサから測定値を取得する第１取得部と、ユーザの頭の向きに応じて、動画の一部の領域を選択する選択部と、ユーザにより指示される方向を検出する第２センサから測定値を取得する第２取得部と、表示部に動画の一部の領域を表示させるとともに、ユーザにより指示される方向に追従するように、動画に関する字幕を動画の一部の領域に重ねて表示させる表示制御部と、を備える。
【００１０】
この態様によれば、ユーザの頭の向きに追従するように動画の一部の領域を表示し、動画のどの領域が表示されるか定まらない場合であっても、ユーザにより指示される方向に追従するように字幕を動画の一部の領域に重ねて表示させることで、字幕と動画の干渉が抑制される。
【００１１】
また、上記態様において、字幕、字幕の表示を開始する動画の時刻及び字幕の表示を終了する動画の時刻が関連付けられて記憶された記憶部をさらに備え、表示制御部は、動画の進行に合わせて、字幕を表示させてもよい。
【００１２】
この態様によれば、動画のどの領域が表示されるか定まらない場合であっても、字幕と動画の干渉を抑制しながら、動画の進行に合わせて字幕を表示することができる。
【００１３】
また、上記態様において、表示制御部は、ユーザによる入力に応じて、字幕を非表示に切り替えてもよい。
【００１４】
この態様によれば、ユーザの必要に応じて、字幕の表示を柔軟に切り替えることができる。
【００１５】
また、上記態様において、表示制御部は、第２センサのモデルを動画の一部の領域に重ねて表示させてもよい。
【００１６】
この態様によれば、第２センサにより検出される方向と、字幕の表示位置との関連を視覚的に示すことができ、字幕の表示位置の調整がより容易となる。
【００１７】
また、上記態様において、表示制御部は、第２センサのモデルから字幕を指し示す線を、動画の一部の領域に重ねて表示させてもよい。
【００１８】
この態様によれば、第２センサを動かした場合に字幕の表示位置がどのように変化するかが視覚的に示され、字幕の表示位置の調整がより容易となる。
【００１９】
また、上記態様において、表示制御部は、ユーザによる入力に応じて、字幕の位置が動画の一部の領域において固定されるように、字幕を動画の一部の領域に重ねて表示させてもよい。
【００２０】
この態様によれば、ユーザの頭の向きに追従するように動画の一部の領域を表示する場合であっても、字幕と動画の干渉が起こりづらい場合に、第２センサの操作を不要としてユーザの操作負担を軽減することができる。
【００２１】
本発明の一態様に係る動画再生システムは、動画再生装置と、ヘッドマウントディスプレイと、コントローラとを備える動画再生システムであって、ヘッドマウントディスプレイは、ユーザの頭の向きを検出する第１センサと、動画再生装置による制御に従って動画を表示する表示部と、を有し、コントローラは、ユーザにより指示される方向を検出する第２センサを有し、動画再生装置は、ユーザの頭の向きに応じて、動画の一部の領域を選択する選択部と、表示部に動画の一部の領域を表示させるとともに、ユーザにより指示される方向に追従するように、動画に関する字幕を動画の一部の領域に重ねて表示させる表示制御部と、を有する。
【００２２】
この態様によれば、ユーザの頭の向きに追従するように動画の一部の領域をヘッドマウントディスプレイに表示し、動画のどの領域が表示されるか定まらない場合であっても、コントローラによってユーザにより指示される方向に追従するように、字幕を動画の一部の領域に重ねて表示させることで、字幕と動画の干渉が抑制される。
【発明の効果】
【００２３】
本発明によれば、字幕と動画の干渉が抑制される動画再生装置及び動画再生システムを提供することができる。
【図面の簡単な説明】
【００２４】
【図１】本発明の実施形態に係る動画再生システムの機能ブロックを示す図である。
【図２】本発明の実施形態に係る動画再生装置の物理的構成を示す図である。
【図３】本発明の実施形態に係る動画再生システムにより表示される動画の第１例を示す図である。
【図４】本発明の実施形態に係る動画再生システムにより表示される動画の第２例を示す図である。
【図５】本発明の実施形態に係る動画再生装置により記憶される字幕情報を示す図である。
【図６】本発明の実施形態に係る動画再生システムにより実行される動画再生処理の第１フローチャートである。
【図７】本発明の実施形態に係る動画再生システムにより実行される動画再生処理の第２フローチャートである。
【発明を実施するための形態】
【００２５】
添付図面を参照して、本発明の実施形態について説明する。なお、各図において、同一の符号を付したものは、同一又は同様の構成を有する。
【００２６】
図１は、本発明の実施形態に係る動画再生システム１の機能ブロックを示す図である。動画再生システム１は、動画再生装置１０と、ヘッドマウントディスプレイ２０と、コントローラ３０とを備える。動画再生装置１０とヘッドマウントディスプレイ２０は、有線又は無線によって通信可能に接続される。また、動画再生装置１０とコントローラ３０は、有線又は無線によって通信可能に接続される。
【００２７】
ヘッドマウントディスプレイ２０は、ユーザの頭部に装着する表示装置であり、ユーザの頭の向きを検出する第１センサ２１と、動画再生装置１０による制御に従って動画を表示する表示部２２と、を有する。第１センサ２１は、ジャイロセンサによって構成されてよく、鉛直方向を検出する加速度センサを含んでもよい。また、表示部２２は、液晶表示装置や有機ＥＬ（Electro-Luminescence）表示装置によって構成されてよい。ヘッドマウントディスプレイ２０は、非透過型であったり、透過型であったりしてよく、立体画像を表示できるものであってもよいし、動画に合わせて音を再生するものであってもよい。
【００２８】
コントローラ３０は、ヘッドマウントディスプレイ２０を装着したユーザによって用いられ、ユーザにより指示される方向を検出する第２センサ３１と、入力部３２とを有する。第２センサ３１は、ジャイロセンサによって構成されてよく、鉛直方向を検出する加速度センサを含んでもよい。入力部３２は、物理的なキーで構成されてよく、ヘッドマウントディスプレイ２０による動画の再生を制御する入力をユーザから受け付ける。コントローラ３０は、ユーザによって把持される形状であってよいが、ユーザの腕に巻き付けられる形状であってもよい。
【００２９】
動画再生装置１０は、第１取得部１１、選択部１２、第２取得部１３、表示制御部１４及び記憶部１５を備える。第１取得部１１は、ユーザの頭の向きを検出する第１センサ２１から測定値を取得する。ここで、第１センサ２１による測定値は、ジャイロセンサや加速度センサの測定値であってよく、ユーザの頭の向きを示す数値であってよい。
【００３０】
選択部１２は、ユーザの頭の向きに応じて、動画の一部の領域を選択する。ここで、動画は、１８０度動画や３６０度動画と呼ばれるものであってよく、ヘッドマウントディスプレイ２０の表示部２２によって表示可能な範囲よりも広い範囲を撮影した動画であってよい。選択部１２は、動画のうち、表示部２２によって表示する領域を選択する。ここで、選択部１２は、第１センサ２１によって検出されたユーザの頭の向きに追従するように、動画の一部の領域を選択してよい。
【００３１】
第２取得部１３は、ユーザにより指示される方向を検出する第２センサ３１から測定値を取得する。ここで、第２センサ３１による測定値は、ジャイロセンサや加速度センサの測定値であってよく、ユーザが把持するコントローラ３０の向きを示す数値であってよい。
【００３２】
表示制御部１４は、選択部１２により選択された動画の一部の領域を表示部２２に表示させるとともに、ユーザにより指示される方向に追従するように、動画に関する字幕を動画の一部の領域に重ねて表示させる。すなわち、表示制御部１４は、ヘッドマウントディスプレイ２０の第１センサ２１によって検出されたユーザの頭の向きに追従するように動画の一部の領域を表示させ、その動画に重畳するように、コントローラ３０の第２センサ３１によって検出されたユーザにより指示される方向に追従するように字幕を表示させる。ここで、第１センサ２１によるユーザの頭の向きの検出と、第２センサ３１によるユーザにより指示される方向の検出は、互いに独立に行われる。そのため、ユーザの頭の向きに追従するように動画の一部の領域を表示し、動画のどの領域が表示されるか定まらない場合であっても、ユーザにより指示される方向に追従するように字幕を動画の一部の領域に重ねて表示させることができ、字幕と動画の干渉が抑制される。
【００３３】
記憶部１５は、字幕、字幕の表示を開始する動画の時刻及び字幕の表示を終了する動画の時刻が関連付けられて記憶する。字幕、字幕の表示を開始する動画の時刻及び字幕の表示を終了する動画の時刻が関連付けられて含まれる字幕情報は、任意のデータ形式で記憶部１５に記憶されてよい。表示制御部１４は、動画の進行に合わせて、字幕を表示させてよい。これにより、動画のどの領域が表示されるか定まらない場合であっても、字幕と動画の干渉を抑制しながら、動画の進行に合わせて字幕を表示することができる。
【００３４】
なお、記憶部１５は、少なくとも一時的に、再生する動画を記憶する。なお、動画は、動画再生装置１０と通信可能な別体の装置に記憶されて、動画再生装置１０によって読み出されてもよい。
【００３５】
表示制御部１４は、ユーザによる入力に応じて、字幕を非表示に切り替えてもよい。ここで、ユーザによる入力は、コントローラ３０の入力部３２によって行われてよく、動画再生装置１０の入力部１０ｅによって行われてもよい。これにより、ユーザの必要に応じて、字幕の表示を柔軟に切り替えることができる。
【００３６】
表示制御部１４は、ユーザによる入力に応じて、字幕の位置が動画の一部の領域において固定されるように、字幕を動画の一部の領域に重ねて表示させてもよい。ここで、ユーザによる入力は、コントローラ３０の入力部３２によって行われてよく、動画再生装置１０の入力部１０ｅによって行われてもよい。表示制御部１４は、コントローラ３０の第２センサ３１により検出されるユーザにより指示される方向に関わらず、ヘッドマウントディスプレイ２０の第１センサ２１により検出されるユーザの頭の向きに追従するように字幕を表示させることで、字幕の位置が動画の一部の領域において固定されるように、字幕を動画の一部の領域に重ねて表示させてもよい。これにより、ユーザは、所望の位置に字幕を動かした後、字幕の位置を固定することができる。そのため、ユーザの頭の向きに追従するように動画の一部の領域を表示する場合であっても、字幕と動画の干渉が起こりづらい場合に、第２センサ３１の操作を不要としてユーザの操作負担を軽減することができる。
【００３７】
図２は、本発明の実施形態に係る動画再生装置１０の物理的構成を示す図である。動画再生装置１０は、演算部に相当するＣＰＵ（Central Processing Unit）１０ａと、記憶部１５に相当するＲＡＭ（Random Access Memory）１０ｂと、記憶部１５に相当するＲＯＭ（Read only Memory）１０ｃと、通信部１０ｄと、入力部１０ｅと、表示部１０ｆとを有する。これらの各構成は、バスを介して相互にデータ送受信可能に接続される。なお、本例では動画再生装置１０が一台のコンピュータで構成される場合について説明するが、動画再生装置１０は、複数のコンピュータを用いて実現されてもよい。
【００３８】
ＣＰＵ１０ａは、ＲＡＭ１０ｂ又はＲＯＭ１０ｃに記憶されたプログラムの実行に関する制御やデータの演算、加工を行う制御部である。ＣＰＵ１０ａは、ヘッドマウントディスプレイ２０に動画を表示させ、コントローラ３０により指示される方向に字幕を表示させるプログラム（動画再生プログラム）を実行する演算部である。ＣＰＵ１０ａは、入力部１０ｅや通信部１０ｄから種々の入力データを受け取り、入力データの演算結果を表示部１０ｆに表示したり、ＲＡＭ１０ｂに格納したりする。
【００３９】
ＲＡＭ１０ｂは、記憶部１５のうちデータの書き換えが可能なものであり、例えば半導体記憶素子で構成されてよい。ＲＡＭ１０ｂは、ＣＰＵ１０ａが実行する動画再生プログラムや、字幕情報及び動画といったデータを記憶する。
【００４０】
ＲＯＭ１０ｃは、記憶部１５のうちデータの読み出しが可能なものであり、例えば半導体記憶素子で構成されてよい。ＲＯＭ１０ｃは、例えば動画再生プログラムや、書き換えが行われないデータを記憶する。
【００４１】
通信部１０ｄは、動画再生装置１０を外部機器に接続するインターフェースである。通信部１０ｄは、コントローラ３０と、例えば近距離無線通信により接続されて、コントローラ３０から第２センサ３１による測定値を受信したり、入力部３２による入力値を受信したりしてよい。
【００４２】
入力部１０ｅは、動画の再生を制御したり、字幕の態様を制御したりする入力を受け付けるものであり、例えば、物理的なキーやタッチパネル等を含んでよい。
【００４３】
表示部１０ｆは、ＣＰＵ１０ａによる演算結果を視覚的に表示するものであり、例えば、ＬＣＤ（Liquid Crystal Display）により構成されてよい。もっとも、動画再生装置１０は、必ずしも表示部１０ｆを有さなくてもよい。
【００４４】
動画再生プログラムは、ＲＡＭ１０ｂやＲＯＭ１０ｃ等のコンピュータによって読み取り可能な記憶媒体に記憶されて提供されてもよいし、通信部１０ｄにより接続される通信ネットワークを介して提供されてもよい。動画再生装置１０では、ＣＰＵ１０ａが動画再生プログラムを実行することにより、図１を用いて説明した様々な動作が実現される。なお、これらの物理的な構成は例示であって、必ずしも独立した構成でなくてもよい。例えば、動画再生装置１０は、ＣＰＵ１０ａとＲＡＭ１０ｂやＲＯＭ１０ｃが一体化したＬＳＩ（Large-Scale Integration）を備えていてもよい。
【００４５】
図３は、本発明の実施形態に係る動画再生システム１により表示される動画の第１例を示す図である。本例では、動画Ｄ１のうち、選択部１２により第１領域Ｄ２ａが選択され、第１領域Ｄ２ａがヘッドマウントディスプレイ２０の表示部２２に表示される場合を示している。ここで、動画Ｄ１の第１領域Ｄ２ａには、字幕Ｄ３ａが重ねて表示されている。ここで、字幕Ｄ３ａの内容は「字幕Ａ」である。
【００４６】
動画再生装置１０の表示制御部１４は、第２センサ３１のモデルＤ４ａを動画の一部の領域（第１領域Ｄ２ａ）に重ねて表示させてもよい。ここで、第２センサ３１のモデルＤ４ａは、コントローラ３０の外観を示す３Ｄ画像であってよく、コントローラ３０の外観を簡略化して示す画像であってもよい。このように、第２センサ３１のモデルＤ４ａを表示させることで、第２センサ３１により検出される方向と、字幕Ｄ３ａの表示位置との関連を視覚的に示すことができ、字幕Ｄ３ａの表示位置の調整がより容易となる。
【００４７】
表示制御部１４は、第２センサ３１のモデルＤ４ａから字幕Ｄ３ａを指し示す線Ｄ５ａを、動画の一部の領域（第１領域Ｄ２ａ）に重ねて表示させてもよい。第２センサ３１のモデルＤ４ａから字幕Ｄ３ａを指し示す線Ｄ５ａは、動画の視聴を妨げないように、半透明な線であってよい。また、第２センサ３１のモデルＤ４ａから字幕Ｄ３ａを指し示す線Ｄ５ａは、ユーザの入力に応じて非表示に切り替えられてもよい。第２センサ３１のモデルＤ４ａから字幕Ｄ３ａを指し示す線Ｄ５ａを表示することで、第２センサ３１を動かした場合に字幕Ｄ３ａの表示位置がどのように変化するかが視覚的に示され、字幕Ｄ３ａの表示位置の調整がより容易となる。
【００４８】
図４は、本発明の実施形態に係る動画再生システム１により表示される動画の第２例を示す図である。本例では、第１例のように動画Ｄ１の第１領域Ｄ２ａがヘッドマウントディスプレイ２０の表示部２２に表示された後、ユーザが頭の向きを変えたことによって、動画Ｄ１のうち、選択部１２により第２領域Ｄ２ｂが選択され、第２領域Ｄ２ｂがヘッドマウントディスプレイ２０の表示部２２に表示される場合を示している。また、ユーザが頭の向きを変えるのと並行して、コントローラ３０の向きを変えたことによって、動画Ｄ１の第２領域Ｄ２ｂには、字幕Ｄ３ｂが重ねて表示されている。ここで、字幕Ｄ３ｂの内容は「字幕Ｂ」であり、第１領域Ｄ２ａにおける字幕Ｄ３ａの表示位置と比較して、第２領域Ｄ２ｂにおける表示位置が異なっている。
【００４９】
動画再生装置１０の表示制御部１４は、コントローラ３０の向きの変化に応じて、第２センサ３１のモデルＤ４ｂの向きが変わるように、モデルＤ４ｂを動画の一部の領域（第２領域Ｄ２ｂ）に重ねて表示させてもよい。また、表示制御部１４は、コントローラ３０の向きの変化に応じて、第２センサ３１のモデルＤ４ｂから字幕Ｄ３ｂを指し示す線Ｄ５ｂが移動するように、線Ｄ５ｂを動画の一部の領域（第２領域Ｄ２ｂ）に重ねて表示させてもよい。これにより、第２センサ３１を動かした場合に字幕Ｄ３ｂの表示位置がどのように変化するかが視覚的に示され、字幕Ｄ３ｂの表示位置の調整がより容易となる。
【００５０】
図５は、本発明の実施形態に係る動画再生装置１０により記憶される字幕情報Ｄを示す図である。字幕情報Ｄは、字幕の表示を開始する動画の時刻を示す「開始時刻」と、字幕の表示を終了する動画の時刻を示す「終了時刻」と、表示される字幕の内容を示す「字幕の内容」とを含む。ここで、開始時刻が「０：００：１０」であり、終了時刻が「０：００：１３」である場合の字幕の内容は「字幕Ａ」であり、図３に示した字幕Ｄ３ａのように表示される。また、開始時刻が「０：００：１４」であり、終了時刻が「０：００：１８」である場合の字幕の内容は「字幕Ｂ」であり、図４に示した字幕Ｄ３ｂのように表示される。
【００５１】
なお、図５に示した字幕情報Ｄは例示であり、字幕情報Ｄは、任意のデータ形式で記憶されてよい。例えば、開始時刻及び終了時刻は、動画のフレームによって表されてもよい。また、字幕の内容は、テキスト情報のみならず、フォント情報を含んでもよい。
【００５２】
図６は、本発明の実施形態に係る動画再生システム１により実行される動画再生処理の第１フローチャートである。はじめに、ヘッドマウントディスプレイ２０の第１センサ２１によって、ユーザの頭の向きを検出する（Ｓ１０）。
【００５３】
次に、動画再生装置１０の選択部１２によって、ユーザの頭の向きに応じて、動画の一部の領域を選択する（Ｓ１１）。そして、表示制御部１４によって、ヘッドマウントディスプレイ２０の表示部２２に動画の一部の領域を表示する（Ｓ１２）。
【００５４】
また、表示制御部１４によって、コントローラ３０の第２センサ３１のモデルを動画の一部の領域に重ねて表示する（Ｓ１３）。そして、コントローラ３０の第２センサ３１によって、ユーザにより指示される方向を検出し（Ｓ１４）、表示制御部１４によって、ユーザにより指示される方向に追従するように、字幕を動画の一部の領域に重ねて表示する（Ｓ１５）。また、表示制御部１４によって、第２センサ３１のモデルから字幕を指し示す線を、動画の一部の領域に重ねて表示する（Ｓ１６）。
【００５５】
さらに、表示制御部１４によって、動画の進行に合わせて字幕を更新する（Ｓ１７）。なお、以上の処理は、並行して実行されてもよいし、順不同で実行されてもよい。また、一部の処理は実行されなくてもよい。
【００５６】
図７は、本発明の実施形態に係る動画再生システム１により実行される動画再生処理の第２フローチャートである。第２フローチャートは、図６に示す第１フローチャートにより示される処理の後に実行される処理を示す。
【００５７】
動画再生装置１０は、ユーザの入力に基づいて、字幕を非表示にするか否かを判定する（Ｓ２０）。字幕を非表示にする場合（Ｓ２０：ＹＥＳ）、表示制御部１４によって、字幕を非表示に切り替える（Ｓ２１）。一方、字幕を非表示にしない場合（Ｓ２０：ＮＯ）、字幕を表示したまま次の処理に移る。
【００５８】
動画再生装置１０は、ユーザの入力に基づいて、字幕を固定するか否かを判定する（Ｓ２２）。字幕を固定する場合（Ｓ２２：ＹＥＳ）、表示制御部１４によって、字幕の位置が動画の一部の領域において固定されるように、字幕を動画の一部の領域に重ねて表示する（Ｓ２３）。一方、字幕を固定しない場合（Ｓ２２：ＮＯ）、字幕の位置を自由に移動させられる状態のまま次の処理に移る。なお、第１フローチャート及び第２フローチャートに示した処理は、動画再生装置１０により動画が再生される期間にわたって繰り返し行われてよい。
【００５９】
本実施形態に係る動画再生システム１によれば、ユーザの頭の向きに追従するように動画の一部の領域をヘッドマウントディスプレイ２０に表示し、動画のどの領域が表示されるか定まらない場合であっても、コントローラ３０によってユーザにより指示される方向に追従するように、字幕を動画の一部の領域に重ねて表示させることで、字幕と動画の干渉が抑制される。
【００６０】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、実施形態で示した構成同士を部分的に置換し又は組み合わせることが可能である。
【符号の説明】
【００６１】
１０…動画再生装置、１０ａ…ＣＰＵ、１０ｂ…ＲＡＭ、１０ｃ…ＲＯＭ、１０ｄ…通信部、１０ｅ…入力部、１０ｆ…表示部、１１…第１取得部、１２…選択部、１３…第２取得部、１４…表示制御部、１５…記憶部、２０…ヘッドマウントディスプレイ、２１…第１センサ、２２…表示部、３０…コントローラ、３１…第２センサ、３２…入力部
【図１】
2019191216.tif 000003
【図２】
2019191216.tif 000004
【図３】
2019191216.tif 000005
【図４】
2019191216.tif 000006
【図５】
2019191216.tif 000007
【図６】
2019191216.tif 000008
【図７】
2019191216.tif 000009